(57)【特許請求の範囲】
【請求項１】
機体の前側に刈刃（３），（４）を後側に駆動輪（１０）を配設し、機体上部から後方上方に向け延設されるハンドル杆（３４）により操縦可能の歩行型草刈機において、機体中央のギヤケース（２０）上に取付台（３１）を取付け該取付台（３１）上にハンドル基台（３２）を水平回動可能に取付け更に該ハンドル基台（３２）の前部にハンドル基台（３２）の取付台（３１）に対する水平回動位置を固定する固定具（３３）を設け、又、ハンドル基台（３２）の上部後方側にはハンドル杆（３４）を横軸（１８）で上下回動自在に枢支するとともに、ハンドル杆（３４）の基端に扇型ギヤ状に上下方向に複数の係合凹部（４８）と、少なくともその上端部に凸部（５１）とを形成する係止板（４９）を取着し、該係合凹部（４８）とハンドル基台（３２）に設ける固定具（３５）のピン（５０）の係脱によりハンドル杆（３４）の上下方向の傾きを調節固定可能、且つ、ハンドル杆（３４）を略垂直状態に起立させた際、前記凸部（５１）が固定具（３５）の外周部に当接してハンドル杆（３４）の傾きを規制し、この位置で固定具（３５）のピン（５０）が係合凹部（４８）と係脱可能に構成してなる歩行型草刈機。
【発明の詳細な説明】
【０００１】
【発明の属する技術分野】
本発明は、畦や農道に生えている比較的短い草を刈る歩行型草刈機に関する。
【０００２】
【従来の技術】
地面に沿って回転する刈刃と走行輪を設けた機枠からハンドル杆を斜め後上方に向けて立設し、このハンドル杆の先端に設けた取っ手を持って歩行しながら草を刈り倒す歩行型の草刈機が有る。
この歩行型草刈機で特に畦道を刈り取るに便利なように左右に設ける刈刃の片側が傾斜面に沿って傾いて水平面と傾斜面の二面を同時に刈れるようにしたものもある。
【０００３】
【発明が解決しようとする課題】
畦道は幅が狭く、前記の草刈機で方向転換する場合には、草刈機を傾斜面を走行させたり、作業者が傾斜面を歩いて前方へ回り込み草刈機の機枠を持って前後振り替えたりする面倒な作業を行なわなければならなかった。
【０００４】
【課題を解決するための手段】
機体の前側に刈刃３，４を後側に駆動輪１０を配設し、機体上部から後方上方に向け延設されるハンドル杆３４により操縦可能の歩行型草刈機において、機体中央のギヤケース２０上に取付台３１を取付け該取付台３１上にハンドル基台３２を水平回動可能に取付け更に該ハンドル基台３２の前部にハンドル基台３２の取付台３１に対する水平回動位置を固定する固定具３３を設け、又、ハンドル基台３２の上部後方側にはハンドル杆３４を横軸１８で上下回動自在に枢支するとともに、ハンドル杆３４の基端に扇型ギヤ状に上下方向に複数の係合凹部４８と、少なくともその上端部に凸部５１とを形成する係止板４９を取着し、該係合凹部４８とハンドル基台３２に設ける固定具３５のピン５０の係脱によりハンドル杆３４の上下方向の傾きを調節固定可能、且つ、ハンドル杆３４を略垂直状態に起立させた際、前記凸部５１が固定具３５の外周部に当接してハンドル杆３４の傾きを規制し、この位置で固定具３５のピン５０が係合凹部４８と係脱可能な構成とする。
【０００５】
【発明の作用及び効果】
この草刈機で草刈り作業を行なうには、ハンドル杆３４を斜め後上方に向けて取っ手３６が作業によい高さとなるように固定して、作業者が機体後方を歩きながら使用する。畦道等の道幅が狭い場所で機体を前後に方向転換する場合には、作業者は移動することなくそのままの位置でハンドル杆３４の上下方向の傾きを極力上方位置に調節して固定し、ハンドル杆３４あるいは機枠を持って機体の前後向きを変更すればよい。
又、このハンドル杆３４の調節機構は、機体中央のギヤケース２０上に取付台３１を取付け該取付台３１上にハンドル基台３２を水平回動可能に取付け更に該ハンドル基台３２の前部にハンドル基台３２の取付台３１に対する水平回動位置を固定する固定具３３を設け、又、ハンドル基台３２の上部後方側にはハンドル杆３４を横軸１８で上下回動自在に枢支するとともに、ハンドル杆３４の基端に扇型ギヤ状に上下方向に複数の係合凹部４８と、少なくともその上端部に凸部５１とを形成する係止板４９を取着し、該係合凹部４８とハンドル基台３２に設ける固定具３５のピン５０の係脱によりハンドル杆３４の上下方向の傾きを調節固定可能、且つ、ハンドル杆３４を略垂直状態に起立させた際、前記凸部５１が固定具３５の外周部に当接してハンドル杆３４の傾きを規制し、この位置で固定具３５のピン５０が係合凹部４８と係脱可能に構成してなるものであるから、ハンドル杆３４を機枠に対して略垂直に立てて固定できるようにすることも容易であり、作業者が移動することなく道幅の狭い畦道等での機体の前後方向転換も容易に行えるとともに、該ハンドル杆３４の水平方向及び上下方向の回動調節機構とをコンパクトにギヤケース２０上に配置でき、又、調節後の固定を確実に行うことができる。
【０００６】
【実施例】
次に、本発明の実施例を図面を参照しながら説明する。
機体の中央に設けるギヤケース２０の後部にはエンジン２１を取り付け、このギヤケース２０から左右に延ばした支持筒２２，２３の先端から下方に向けてアーム２５，２６を設け、このアーム２５，２６の下端部に走行輪１０を軸支している。一方のアーム２５には内部にチェン伝動機構を設け、エンジン２１の動力で走行輪１０を回転駆動するようにしている。
【０００７】
ギヤケース２０の前側には、左右に振り分けて垂直に軸支する回転軸１，２を有する伝動ケース２９を設け、左右の回転軸１，２には上下に刈刃３，４をそれぞれ取り付け、上方より見て左右の刈刃３，４の前側が中央に向って逆回転するようにしている。
走行輪１０の上側は、走行輪カバー３０を前記ギヤケース２０の下側に取り付け、この走行輪カバー３０の前側に刈刃３，４を全面的に覆う刈刃カバー５を設けている。
刈刃カバー５の前端は左右中央が後方に向けて凹んだ形状としていて、この前端形状に沿うようにガイド杆６を取り付けている。
尚、刈刃カバー５は、図６に示す如く、前部７をヒンジ８で取り付け、ガイド杆６に草が当たると上方へ回動して、刈刃３，４を露出するようにすれば刈り取り走行がよりスムーズになる。４５はカバー前部７を水平方向に保持すべく弾発させたばねである。
【０００８】
走行輪１０は、図２に示す如く、左右両側部１０ａが大径で中間部１０ｂを小径として、刈り倒した草が中間部１０ｂの下側を通過し易くしている。両側部１０ａと中間部１０ｂとには適宜間隔で鉄製ラグ１３を突設していて、両側部１０ａの外側端にはゴムラグ１２を巻き付けている。前記走行輪カバー３０の下側には、走行輪１０の鉄製ラグ１３に対応してスクレパ１５を設け、鉄製ラグ１３に巻き付く草を取り除くようにしている。
尚、この走行輪１０の左右両側部１０ａは大径の筒で中間部１０ｂは小径の筒としているが左右両端から中央に向けて順次小径とした鼓形状としてもよい。
また、左側部１０ａと右側部１０ａとを一定角度例えば９０°程度フリーで相互回転するように取り付けて左右旋回を行い易くすることもよい。
【０００９】
ギヤケース２０の上部には、取付台３１を取り付け、この取付台３１上にハンドル基台３２を水平回動可能に取り付けている。３３はハンドル基台３２の取付台３１に対する水平回動位置を固定する固定具である。
ハンドル基台３２の上部には、ハンドル杆３４を横軸１８で枢支し、固定具３５でハンドル杆３４のハンドル基台３２に対する傾きを固定するようにしていて、ハンドル杆３４を略垂直にして固定することもできるようにしている。
即ち、ハンドル３４の基端に扇型ギヤ状に上下方向に複数の係合凹部４８を形成する係止板４９の該係合凹部４８と、ハンドル基台３２に設ける固定具３５のピン５０の係脱によりハンドル杆３４の上下方向の傾きを調節固定可能に構成してある。又、係止板４９の上端部に凸部５１を形成し、ハンドル杆３４を略垂直状態に起立させた際、凸部５１が固定具３５の外周部に当接してハンドル杆３４の傾きを規制し、この位置で固定具３５のピンが係合凹部４８と係脱可能に構成してある。尚、係止板４９に形成する凸部５１は、少なくとも上端部に形成すればよいが、本実施例では、係止板４９の下端部にも同様の凸部を形成してある。
【００１０】
ハンドル杆３４の先端にはループ状の取っ手３６を取り付け、この取っ手３６にエンジン２１に継がるアクセルレバー３７を取り付け、ハンドル杆３４にハンドル杆３４の上下回動固定具３５にワイヤーで連結した上下固定レバー３８と、水平固定具３３にワイヤーで連結した水平固定レバー３９とを設けている。
図７と図８は、取っ手３６の取り付け状態を詳しく示すもので、ハンドル杆３４の先端にループ状に形成した取っ手３６を締結具４０で締めつけて固定している。従って、締結具４０を緩めると取っ手３６が回動可能になる。
取っ手３６は、平面視で台形形状に屈曲したパイプで左右側部から後部にかけ
て柔らかい握り筒４１を外装している。
アクセルレバー３７は、取っ手３６に取り付け、そのアーム４２にエンジン２１のアクセルに繋がるワイヤー４４を連結している。このアクセルレバー３７は、取っ手３６に沿って湾曲した形状としていて、丸棒を平板状に押し潰した部分４６，４７を形成し、っ手３６と一緒に握り易くしている。
【００１１】
このように構成した草刈機を使用する場合には、上下固定レバー３８を操作して取っ手３６が作業者の持ち易い高さとなるようにして、前進走行しながら草を刈り倒す。刈り倒された草は刈刃３，４の回転で左右中央に集まりながら走行輪１０の中央部１０ｂ下方を通過して後方へ排出される。
幅の狭い畦上で前後向きを変える場合には、ハンドル杆３４を略垂直に固定して機体を１８０°回転させる。
また、作業者から離れた位置の草を刈る場合には、取っ手３６をハンドル杆３４を延長する状態に固定し、アクセルレバー３７の後端４７と取っ手３６の後端を共に握りながら刈刃３，４の回転をコントロールする。
【図面の簡単な説明】
【図１】  本発明実施例の一部正断面図である。
【図２】  本発明実施例の一部拡大平面図である。
【図３】  本発明実施例の一部拡大側断面図である。
【図４】  本発明実施例の全体平面図である。
【図５】  本発明実施例の全体側面図である。
【図６】  別実施例の一部斜視図である。
【図７】  本発明実施例の一部拡大平面図である。
【図８】  本発明実施例の一部拡大側面図である。
【符号の説明】
３    刈刃
４    刈刃
１０  走行輪
１８  横軸
３４  ハンドル杆
３６  取っ手
３７  アクセルレバー
４８  係合凹部
４９  係止板
５０  ピン
５１  凸部
【図１】
0003664051.tif 000002
【図２】
0003664051.tif 000003
【図３】
0003664051.tif 000004
【図４】
0003664051.tif 000005
【図５】
0003664051.tif 000006
【図６】
0003664051.tif 000007
【図７】
0003664051.tif 000008
【図８】
0003664051.tif 000009